(57)【要約】【課題】描画画像生成の基準位置と、描画のための入力を受け付ける矩形領域の方向とを決定する。【解決手段】情報入力装置１は、タッチパネル１０に対する入力が、描画画像生成の基準位置を決定するための入力である場合に、当該入力位置に応じた基準位置を決定する基準位置決定手段２１と、該入力のパターンから、基準位置が矩形領域の４つの頂点の何れに対応するかを特定する頂点特定手段２１とを備える。【選択図】図１
2014021855.tif 000002
【特許請求の範囲】
【請求項１】
平板状の入力面上に矩形領域を設定し、該矩形領域に対する座標または座標の軌跡の入力を、描画画像を生成するための入力として受け付ける情報入力装置であって、
上記入力面に対する入力が上記矩形領域の１つの頂点の位置である基準位置を決定するための入力である場合に、当該入力を受け付けた上記入力面上の位置に応じた基準位置を決定する基準位置決定手段と、
上記基準位置を決定するための入力のパターンおよび該入力の後の入力のパターンの少なくとも一方から、上記基準位置決定手段が決定した基準位置が、上記矩形領域の４つの頂点の何れに対応するかを特定する頂点特定手段とを備えていることを特徴とする情報入力装置。
【請求項２】
基準位置を決定するための入力のパターンおよび該入力の後の入力のパターンの少なくとも一方から、上記矩形領域の傾きを特定する傾き特定手段を備えることを特徴とする請求項１に記載の情報入力装置。
【請求項３】
上記頂点特定手段は、
基準位置を決定するための入力のパターンの筆順から、上記基準位置が上記矩形領域の４つの頂点の何れに対応するかを特定することを特徴とする請求項１または２に記載の情報入力装置。
【請求項４】
基準位置を決定するための入力のパターンは、矩形領域の角に沿ってＬ字を描く入力パターンであり、
上記矩形領域の４つの頂点のそれぞれについて、Ｌ字の筆順が予め定められており、
上記頂点特定手段は、Ｌ字の筆順から、当該基準位置が４つの頂点の何れに対応するかを特定することを特徴とする請求項３に記載の情報入力装置。
【請求項５】
上記頂点特定手段は、
上記基準位置を決定するための入力の後の入力のパターンから、当該基準位置が４つの頂点の何れに対応するかを特定することを特徴とする請求項１または２に記載の情報入力装置。
【請求項６】
上記頂点特定手段は、
上記基準位置を決定するための入力の後の入力が、上記矩形領域外で検出された場合に、当該後の入力のパターンから、上記基準位置決定手段が決定した基準位置が、上記矩形領域の４つの頂点の何れに対応するかを特定することを特徴とする請求項５に記載の情報入力装置。
【請求項７】
上記描画画像に割り当てられたページ番号を管理するページ番号管理手段と、
上記ページ番号管理手段が管理するページ番号が同一である複数の上記描画画像を合成して合成画像を生成する画像合成手段とを備えていることを特徴とする請求項１から６のいずれか１項に記載の情報入力装置。
【請求項８】
上記ページ番号管理手段は、
上記基準位置を決定するための入力の後の入力の位置が、上記矩形領域外である場合に、当該入力のパターンから、上記描画画像に割り当てられるページ番号を特定することを特徴とする請求項７に記載の情報入力装置。
【請求項９】
平板状の入力面上に矩形領域を設定し、該矩形領域に対する座標または座標の軌跡の入力を、描画画像を生成するための入力として受け付ける受け付ける情報入力装置の制御方法であって、
上記入力面に対する入力が上記矩形領域の１つの頂点の位置である基準位置を決定するための入力である場合に、当該入力を受け付けた上記入力面上の位置に応じた基準位置を決定する基準位置決定ステップと、
上記基準位置を決定するための入力のパターンおよび該入力の後の入力のパターンの少なくとも一方から、上記基準位置決定ステップにおいて決定した基準位置が、上記矩形領域の４つの頂点の何れに対応するかを特定する頂点特定ステップとを含むことを特徴とする情報入力装置の制御方法。
【請求項１０】
上記基準位置決定手段が決定した基準位置を示す情報と、上記頂点特定手段が特定した、基準位置が４つの頂点の何れに対応するかを示す情報と、上記入力面に入力された座標または座標の軌跡とを送信する送信手段を備える請求項１から８の何れか１項に記載の情報入力装置と、
上記送信手段が送信する基準位置を示す情報と、基準位置が４つの頂点の何れに対応するかを示す情報と、入力面に入力された座標または座標の軌跡とを受信し、該座標または座標の軌跡のうち上記基準位置に対応する頂点が４つの頂点の何れに対応するかに応じて設定した上記矩形領域内の座標または座標の軌跡を、上記基準位置を基準として画像平面上の座標または座標の軌跡に変換することによって上記描画画像を生成する画像生成手段を備える画像生成装置とを含むことを特徴とする画像生成システム。
【請求項１１】
請求項１から８のいずれか１項に記載の情報入力装置の上記各手段としてコンピュータを機能させるための制御プログラム。
【請求項１２】
請求項１１に記載の制御プログラムを記録したコンピュータ読み取り可能な記録媒体。
【発明の詳細な説明】
【技術分野】
【０００１】
本発明は、入力面に対する描画のための入力を受け付けるための情報入力装置等に関する。
【背景技術】
【０００２】
従来から、ノートのページ等の紙に下敷きのように重ねて使用し、紙に記入された内容の筆跡を圧力センサまたは赤外線センサ等により検出し、これを描画画像として取得する情報入力装置が知られている。
【０００３】
このような情報入力装置の抱える問題点として、紙への記入中に情報入力装置の位置がずれた場合に、情報入力装置上では描画画像に該ずれが反映され、実際に紙に記入された内容と情報入力装置上で記録された描画画像とが一致しなくなるという点が挙げられる。
【０００４】
上記のようなずれの問題を解決するための技術として、特許文献１には、ファイルノートの用紙を結束するリングバインダーに着脱する下敷きに固定された受信装置によって、専用ペンより発信された超音波信号と赤外線信号とを受信して手書き筆跡データとして認識する手書き筆跡入力装置において、下敷きの左右両方に上記リングバインダーに合致した切り欠きを設けることで、リングバインダーの左右両方への位置決めを行う構成が記載されている。
【０００５】
また、特許文献２には、紙文書に定められた手書きのための入力領域又はその周辺に手書きされた手書きパターンの手書き領域を検出し、手書き領域の座標と入力領域の座標とに基づき、手書き領域と入力領域とを関連づけ、入力領域に関連づけられた手書き領域と入力領域との位置ずれを補正するため、手書き領域の座標を変換する構成が記載されている。
【先行技術文献】
【特許文献】
【０００６】
【特許文献１】特開２００８−７７３６５号公報（２００８年４月３日公開）
【特許文献２】特開２００７−４８２１７号公報（２００７年２月２２日公開）
【発明の概要】
【発明が解決しようとする課題】
【０００７】
特許文献１は、受信装置と紙との位置関係を固定する、すなわち位置ずれの発生を防止することで、上記のずれの問題を解決するものである。そして、この構成上、使用できる用紙はリングバインダーで結束されたノートのページに限定され、また、その用紙のサイズも固定である。よって、ユーザが任意の用紙を使用するという状況に対応できないという問題がある。
【０００８】
また、特許文献２に記載の技術においては、紙文書に予め入力領域が設けられており、装置側でこの入力領域の座標情報を取得しておく必要がある。そのため、入力領域を電子情報として装置に通知するための情報を含まない一般的な紙を用いることができず、汎用性が低い。
【０００９】
また、装置と用紙との位置関係を固定しない場合、用紙の角の位置を特定しただけでは、入力面において描画のための入力を受け付ける矩形領域（入力面上に載置された用紙に対応する領域）をどのように設定するかを決定することができない。用紙が縦向きに載置されているか、横向きに載置されているかを判断することができないためである。
【００１０】
本発明は上記の問題点に鑑みてなされたものであり、その目的は、特別な用紙を使用することなく、簡易なユーザ操作によって描画画像を生成するための基準位置、および、描画のための入力を受け付ける矩形領域の設定方向を決定することのできる情報入力装置等を提供することにある。
【課題を解決するための手段】
【００１１】
上記の課題を解決するために、本発明に係る情報入力装置は、平板状の入力面上に矩形領域を設定し、該矩形領域に対する座標または座標の軌跡の入力を、描画画像を生成するための入力として受け付ける情報入力装置であって、上記入力面に対する入力が矩形領域の１つの頂点の位置である上記基準位置を決定するための入力である場合に、当該入力を受け付けた上記入力面上の位置に応じた基準位置を決定する基準位置決定手段と、上記基準位置を決定するための入力のパターンおよび該入力の後の入力のパターンの少なくとも一方から、上記基準位置決定手段が決定した基準位置が、上記矩形領域の４つの頂点の何れに対応するかを特定する頂点特定手段とを備えていることを特徴としている。
【００１２】
また、本発明に係る情報入力装置の制御方法は、平板状の入力面上に矩形領域を設定し、該矩形領域に対する座標または座標の軌跡の入力を、描画画像を生成するための入力として受け付ける情報入力装置の制御方法であって、上記入力面に対する入力が矩形領域の１つの頂点の位置である上記基準位置を決定するための入力である場合に、当該入力を受け付けた上記入力面上の位置に応じた基準位置を決定する基準位置決定ステップと、上記基準位置を決定するための入力のパターンおよび該入力の後の入力のパターンの少なくとも一方から、上記基準位置決定ステップにおいて決定した基準位置が、上記矩形領域の４つの頂点の何れに対応するかを特定する頂点特定ステップとを含むことを特徴としている。
【００１３】
上記の構成によれば、描画のための入力を受け付ける矩形領域の頂点の位置と、その頂点が何れの頂点かを特定するので、その頂点に対して何れの方向に矩形領域を設定するかが特定される。
【００１４】
これにより、矩形領域に対する描画のための入力を受け付けることができるようになり、入力された軌跡の座標を変換して描画画像を生成することも可能になる。例えば、入力面上に用紙を載置して、この用紙の角付近を上記基準位置として指定する入力を行った場合に、入力面におけるこの用紙が載置されている領域を上記矩形領域として設定させることも可能になる。
【００１５】
従って、ユーザは、簡易な操作によって、情報入力装置に、描画画像を生成するための基準位置、および、描画のための入力を受け付ける矩形領域の設定方向を決定させることができる。
【００１６】
なお、上記の基準位置は、描画のための入力の座標または座標の軌跡を描画画像における座標または座標の軌跡に変換するために用いられる。また、座標の変換は、上記情報入力装置が行ってもよいし、特定した頂点の位置、その頂点が何れの頂点であるか、および座標または座標の軌跡を示す情報を他の装置に出力し、該装置に座標の変換を行わせてもよい。
【００１７】
本発明に係る情報入力装置は、基準位置を決定するための入力のパターンおよび該入力の後の入力のパターンの少なくとも一方から、上記矩形領域の傾きを特定する傾き特定手段を備えていてもよい。
【００１８】
上記の構成によれば、傾き特定手段は、入力面に対する、基準位置を決定するための入力のパターン、および、該入力の後の入力のパターンの少なくとも一方から、描画が行われる矩形領域の傾きを特定する。
【００１９】
これにより、情報入力装置は、矩形領域の傾きを補正するための情報を生成することができる。そして、この情報を用いて描画画像を生成することによって、傾きの影響をキャンセルした描画画像を生成することも可能になる。
【００２０】
本発明に係る情報入力装置において、上記頂点特定手段は、基準位置を決定するための入力のパターンの筆順から、上記基準位置が上記矩形領域の４つの頂点の何れに対応するかを特定してもよい。
【００２１】
上記の構成によれば、基準位置を決定するための入力のパターンの筆順から、基準位置が矩形領域の４つの頂点の何れに対応するかを特定する。つまり、基準位置を決定するための入力によって特定される頂点に対して、何れの方向に矩形領域を設定するかが、当該入力のパターンの筆順によって特定される。
【００２２】
これにより、矩形領域の設定方向の決定において、新たな入力を不要とすることができる。
【００２３】
本発明に係る情報入力装置において、基準位置を決定するための入力のパターンは、矩形領域の角に沿ってＬ字を描く入力パターンであり、上記矩形領域の４つの頂点のそれぞれについて、Ｌ字の筆順が予め定められており、上記頂点特定手段は、Ｌ字の筆順から、当該基準位置が４つの頂点の何れに対応するかを特定してもよい。
【００２４】
上記の構成によれば、予め定められたＬ字の筆順から、該Ｌ字によって決定される基準位置が、矩形領域の４つの頂点の何れに対応するかを特定する。
【００２５】
これにより、ユーザは、Ｌ字マークという簡易な図形の入力によって、情報入力装置１に矩形領域の設定方向を特定させることができる。
【００２６】
本発明に係る情報入力装置において、上記頂点特定手段は、上記基準位置を決定するための入力の後の入力のパターンから、当該基準位置が４つの頂点の何れに対応するかを特定してもよい。
【００２７】
上記の構成によれば、頂点特定手段は、基準位置を決定するための入力の後の入力のパターンから、基準位置が矩形領域の頂点のいずれに対応するかを特定する。
【００２８】
これにより、情報入力装置は、基準位置を決定するための入力と、該入力の後の入力との２つの入力から、簡易に矩形領域の頂点を特定することができる。
【００２９】
本発明に係る情報入力装置において、上記頂点特定手段は、上記基準位置を決定するための入力の後の入力が、上記矩形領域外で検出された場合に、当該後の入力のパターンから、上記基準位置決定手段が決定した基準位置が、上記矩形領域の４つの頂点の何れに対応するかを特定してもよい。
【００３０】
上記の構成によれば、頂点特定手段は、描画のための入力を受け付ける矩形領域に含まれない領域に対する入力のパターンから、基準位置決定手段が決定した基準位置が、上記矩形領域の４つの頂点の何れに対応するかを特定する。
【００３１】
従って、ユーザは、矩形領域外に描画を行うことで、上記情報入力装置上に置かれた用紙またはノート等に実際に記入することなく、４つの頂点のうち何れかを指定することができる。
【００３２】
本発明に係る情報入力装置は、上記描画画像に割り当てられたページ番号を管理するページ番号管理手段と、上記ページ番号管理手段が管理するページ番号が同一である複数の上記描画画像を合成して合成画像を生成する画像合成手段とを備えていてもよい。
【００３３】
上記の構成によれば、画像合成手段は、基準位置に基づき生成された複数の描画画像を、同一のページ内で合成する。なお、合成の対象となる複数の描画画像は、それぞれ異なる基準位置に基づいて生成されたものであってもよい。また、合成画像は、生成済みの描画画像の画像平面に対して、新たに決定された基準位置に基づいて軌跡を投影することで生成してもよい。
【００３４】
これにより、同一のページ番号が割り当てられた複数の描画画像は、入力時点では入力面上で互いの位置関係を維持していなくとも、基準位置に基づいて適切な位置に座標変換された上で１のページにおける描画画像として合成される。
【００３５】
従って、例えば、１のページにおける描画画像を記入している途中で入力装置の位置がずれた場合においても、基準位置を再度決定すれば、同一のページ内の描画画像のレイアウトを適切に保つことができる。
【００３６】
本発明に係る情報入力装置において、上記ページ番号管理手段は、上記基準位置を決定するための入力の後の入力の位置が、上記矩形領域外である場合に、当該入力のパターンから、上記描画画像に割り当てられるページ番号を特定してもよい。
【００３７】
上記の構成によれば、ページ番号管理手段は、描画のための入力を受け付ける矩形領域に含まれない領域に対する入力のパターンから、描画画像に割り当てるページ番号を特定する。
【００３８】
従って、ユーザは、上記情報入力装置上に置かれた用紙またはノート等に実際に記入することなく、描画画像のページ番号を指定することができる。例えば、ページ番号管理手段は、入力面への入力の軌跡を、文字認識機能によって文字として認識することで、ユーザが手書き入力したページ番号を認識してもよい。これにより、ユーザは、ページ番号の指定に際し、繁雑なボタン操作等を行う必要がなくなる。
【００３９】
また、本発明に係る画像生成システムは、上記基準位置決定手段が決定した基準位置を示す情報と、上記頂点特定手段が特定した、基準位置が４つの頂点の何れに対応するかを示す情報と、上記入力面に入力された座標または座標の軌跡とを送信する送信手段を備える上記情報入力装置と、上記送信手段が送信する基準位置を示す情報と、基準位置が４つの頂点の何れに対応するかを示す情報と、入力面に入力された座標または座標の軌跡とを受信し、該座標または座標の軌跡のうち上記基準位置に対応する頂点が４つの頂点の何れに対応するかに応じて設定した上記矩形領域内の座標または座標の軌跡を、上記基準位置を基準として画像平面上の座標または座標の軌跡に変換することによって上記描画画像を生成する画像生成手段を備える画像生成装置とを含むことを特徴としている。
【００４０】
上記の構成によれば、画像生成装置は、基準位置を示す情報、基準位置が４つの頂点の何れに対応するかを示す情報、および入力面に入力された座標または座標の軌跡を情報入力装置から受信し、当該軌跡の座標のうち基準位置に対応する頂点が４つの頂点の何れに対応するかに応じて設定した矩形領域内の座標を、当該基準位置を基準として画像平面上の座標に変換することによって上記描画画像を生成する。
【００４１】
これにより、情報入力装置側での描画画像の生成および表示をする必要がなくなるため、情報入力装置の小型化・薄型化が可能となる。
【００４２】
よって、情報入力装置を、ノート等のページに挟んで下敷きのように使用する状況において、一般的な下敷きと同様の使用感が実現可能となる。
【００４３】
なお、上記情報入力装置は、コンピュータによって実現してもよく、この場合には、コンピュータを上記情報入力装置の各手段として動作させることにより、上記情報入力装置１をコンピュータにて実現させる制御プログラム、及びそれを記録したコンピュータ読み取り可能な記録媒体も本発明の範疇に入る。
【発明の効果】
【００４４】
以上のように、本発明に係る情報入力装置は、入力面に対する入力が上記矩形領域の１つの頂点の位置である基準位置を決定するための入力である場合に、当該入力を受け付けた上記入力面上の位置に応じた基準位置を決定する基準位置決定手段と、上記基準位置を決定するための入力のパターンおよび該入力の後の入力のパターンの少なくとも一方から、上記基準位置決定手段が決定した基準位置が、上記矩形領域の４つの頂点の何れに対応するかを特定する頂点特定手段とを備える構成である。
【００４５】
また、本発明に係る情報入力装置の制御方法は、入力面に対する入力が上記矩形領域の１つの頂点の位置である基準位置を決定するための入力である場合に、当該入力を受け付けた上記入力面上の位置に応じた基準位置を決定する基準位置決定ステップと、上記基準位置を決定するための入力のパターンおよび該入力の後の入力のパターンの少なくとも一方から、上記基準位置決定ステップにおいて決定した基準位置が、上記矩形領域の４つの頂点の何れに対応するかを特定する頂点特定ステップとを含む方法である。
【００４６】
上記の構成によれば、ユーザは、特別な用紙を使用することなく、簡易な操作によって、情報入力装置に、描画画像を生成するための基準位置、および、描画のための入力を受け付ける矩形領域の設定方向を決定させることができる。
【図面の簡単な説明】
【００４７】
【図１】本発明の一実施形態に係る情報入力装置の要部構成を示すブロック図である。
【図２】図１に示す情報入力装置の使用時の外観を示す図である。
【図３】（ａ）は、図１に示す情報入力装置において、用紙の右上の角を示す位置合わせマークの入力時の装置外観を用紙とともに示す図であり、（ｂ）は、上記情報入力装置において、用紙の右下の角を示す位置合わせマークの入力時の装置外観を用紙とともに示す図である。
【図４】（ａ）は、用紙の右上の角を示す位置合わせマークを、その筆順とともに示す図であり、（ｂ）は、用紙の右下の角を示す位置合わせマークを、その筆順とともに示す図であり、（ｃ）は、用紙の左上の角を示す位置合わせマークを、その筆順とともに示す図であり、（ｄ）は、用紙の左下の角を示す位置合わせマークを、その筆順とともに示す図である。
【図５】（ａ）は、図１に示す情報入力装置において、用紙の右上の角を示す位置合わせマークの入力時の装置外観を用紙とともに示す図であり、（ｂ）は、上記情報入力装置を時計回りに９０度回転させた状態での、用紙の右下の角を示す位置合わせマークの入力時の装置外観を用紙とともに示す図である。
【図６】（ａ）は、図１に示す情報入力装置に重畳させた用紙に文字を記入している状態の装置外観と、該記入によって上記情報入力装置において生成される描画画像とを示す図であり、（ｂ）は、上記情報入力装置に重畳させた、（ａ）と同一の用紙に文字を追記している状態の装置外観と、該追記によって上記情報入力装置において生成される描画画像とを示す図であり、（ｃ）は、（ａ）および（ｂ）に示す描画画像を合成した合成画像を示す図である。
【図７】図１に示す情報入力装置が備えるタッチパネルの構造の一例を示す断面図である。
【図８】図１に示す情報入力装置において、用紙の右上の角を示す位置合わせマークと、右下の角を示す位置合わせマークとの入力時の装置外観を用紙とともに示す図である。
【図９】（ａ）は、図１に示す情報入力装置に重畳させた用紙に文字が記入された場合の、情報入力装置が生成する描画画像を、用紙の右上の角を示す位置合わせマークとともに示す図であり、（ｂ）は、上記情報入力装置において、（ａ）と同一の用紙に、該用紙を傾けた状態で文字が追記された場合の、情報入力装置が生成する描画画像を、用紙の右上の角を示す位置合わせマークとともに示す図であり、（ｃ）は、（ａ）および（ｂ）に示す描画画像を合成した合成画像を示す図である。
【図１０】図１に示す情報入力装置が実行する処理の全体の流れの一例を示すフローチャートである。
【図１１】図１に示す情報入力装置が実行する、位置合わせ処理の流れの一例を示すフローチャートである。
【図１２】補正情報の生成を説明する図であり、同図（ａ）は入力された軌跡の一例を示し、同図（ｂ）は該軌跡を補正情報で補正した画像の一例を示している。
【図１３】生成した補正情報および座標変換情報を用いた描画画像の生成の一例を示す図である。
【図１４】図１に示す情報入力装置が実行する、ペン入力処理の流れの一例を示すフローチャートである。
【図１５】位置合わせマークの形状の別の例を示す図であり、（ａ）は用紙の角に沿って２つの線分が入力されるが、当該２つの線分が接触していない位置合わせマークを示し、（ｂ）は角上に点が１つ入力される位置合わせマークを示し、（ｃ）は用紙の角から少し離れた位置に点が入力される位置合わせマークを示し、（ｄ）は用紙の角を囲む位置合わせマークを示している。
【図１６】本発明の別の実施形態に係る情報入力システムの要部構成を示す機能ブロック図である。
【発明を実施するための形態】
【００４８】
〔第１の実施形態〕
以下、本発明の一実施形態について、図１〜図１５を参照して詳細に説明する。なお、本発明は以下の記載に限定されるものではない。
【００４９】
以下で説明する実施形態では、一例として、本発明の情報入力装置を、入力面としてのタッチパネルを備える場合について説明する。しかし、本発明に係る情報入力装置はこれに限定されず、入力面に固定された受信器によって、専用ペンの紙に対する接触および軌跡を検知することで、本発明の情報入力装置を実現してもよい。
【００５０】
なお、以下の図面において同一または相当する部分には、同一の参照符号を付すものとし、それらの説明は重複して行わない。また、図面における長さ、大きさおよび幅などの寸法関係ならびに形状は、図面の明瞭化と簡略化のために適宜に変更されており、実際の寸法および形状を表してはいない。
【００５１】
〔情報入力装置の機能概要〕
本実施形態に係る情報入力装置１は、図２に示すように、ノートのページ等の用紙に下敷きとして挟まれ、ペン等で該用紙の上から記入された文字または図形等の記入時の描画の軌跡を、タッチパネル（入力面）１０を介して取得する。そして、該軌跡を画像平面に投影した画像である描画画像を、Bluetooth（登録商標）等の近距離無線通信によって情報処理装置（画像生成装置）２に送信する。これにより、ノートの手書き描画が電子データとして情報処理装置２に蓄積され、ユーザはこの描画画像を情報処理装置に表示させることができる。
【００５２】
さらに、情報入力装置１は、図３（ａ）に示すように、ノートサイズ設定部１２にてノートのサイズの設定を受け付ける（図に示す例ではＡ４判に設定されている）。また、情報入力装置１は、ページ単位で描画画像を生成するものであり、当該描画画像に割り当てられるページ番号（図に示す例では第８８ページ）をページ番号表示部１４によって表示する。該割り当てられるページ番号は、ページ番号変更入力部１３に対する操作によって変更される。ページ番号表示部１４に対し、右側に位置するページ番号変更入力部１３を押下すればページを次に進め、左側に位置するページ番号変更入力部１３を押下すればページを１つ前に戻すようにしてもよい。
【００５３】
以上の構成により、ユーザが文字または図形等を記入しようとしているノートのサイズと、該記入の対象となるページのページ番号とが特定される。
【００５４】
次に、ユーザは、モード入力部１１を押下しながら、ページの角部分の外側をなぞるように、Ｌ字型の位置合わせマークをタッチパネル１０上に入力する。図３（ａ）に示す例では、ページの右上の角に沿って、Ｌ字型の位置合わせマークＭ１が描かれている。また、図３（ｂ）に示すように、情報入力装置１をずらして、モード入力部１１を紙の上から押下しながら、ページの右下の角に沿って、位置合わせマークＭ２を入力することができる。また、図示しないが、ノートの左側のページに描画を行う場合は、該左側のページの下に情報入力装置１を挟み、ページの左上または左下の角に沿って、位置合わせマークを入力することができる。
【００５５】
なお、本明細書において、「位置合わせマーク」とは、情報入力装置１がタッチパネル１０上を介して取得した、文字または図形等の描画のための入力の軌跡を画像平面に投影して描画画像を生成するための基準となる位置を決定するためのものである。具体的には、位置合わせマークは、文字または図形等が記入される矩形の用紙の有する４つの角のうち少なくとも１つの位置、および、該角が上記４つの角のうちいずれであるかを指定する。そして、情報入力装置１は、位置合わせマークが指定する角の座標およびいずれの角であるかに応じて、上記軌跡を画像平面に投影するためのパラメータを決定する。
【００５６】
〔位置合わせマークからの角の特定〕
ここで、情報入力装置１は、書き込まれた位置合わせマークが、記入対象であるページの４つの角のうちいずれに沿って入力されたものかを特定する。具体的には、情報入力装置１が備える位置合わせ情報処理部（基準位置決定手段、ページサイズ決定手段、頂点特定手段、傾き特定手段）２１（図１参照）は、図４に示すように、位置合わせマークの入力における筆順によって、当該位置合わせマークがいずれの角に記入されたかを特定する。
【００５７】
図４（ａ）に、ページの右上の角に記入される位置合わせマーク（図３（ａ）においてＭ１として図示）の筆順の一例を示す。同図では、Ｌ字型の位置合わせマークは矢印の方向に１つのストロークで入力される。すなわち、Ｌ字を構成する２つの線分のうち、横方向の線分がまず図の左から右に向かって入力され、当該右上の角を横方向の線分の終点として、該終点を始点とする縦方向の線分が下に向かって入力される。
【００５８】
図４（ｂ）に、ページの右下の角に記入される位置合わせマーク（図３（ｂ）においてＭ２として図示）の筆順の一例を示す。同図では、Ｌ字型の位置合わせマークは２つのストロークから成る。第１のストロークは、縦方向の線分を図の上から下に向かって入力するものであり、第２のストロークは、上記第１のストロークの終点に向かって図の左から右へと入力するものである。
【００５９】
図４（ｃ）に、ページの左上の角に記入される位置合わせマークの筆順の一例を示す。同図では、Ｌ字型の位置合わせマークは２つのストロークから成る。第１のストロークは、図４（ｂ）に示す例と同様、縦方向の線分を図の上から下に向かって入力するものであるが、第２のストロークは、上記第１のストロークの始点から右に向かって入力されるものである。
【００６０】
図４（ｄ）に、ページの左下の角に記入される位置合わせマークの筆順の一例を示す。同図では、Ｌ字型の位置合わせマークは矢印の方向に１つのストロークで入力される。すなわち、Ｌ字を構成する２つの線分のうち、縦方向の線分がまず図の上から下に向かって入力され、当該左下の角を縦方向の線分の終点として、該終点を始点とする横方向の線分が右に向かって入力される。
【００６１】
ここで、位置合わせ情報処理部２１は、位置合わせマークであるＬ字を構成する２つの線分は、左から右へ、または、上から下へ向かって入力されるとの前提に基づき、該Ｌ字の筆順から、当該位置合わせマークが右上、右下、左上、左下のいずれの角に記入されたものであるかを特定する。
【００６２】
なお、上記の前提は、漢字の筆順に基づいた一例であり、右上、右下、左上、左下の各角を指定する位置合わせマークの筆順は適宜変更されてよく、ユーザにとって書きやすい筆順に任意に設定されてもよい。ユーザ設定によって上記各角に記入される位置合わせマークの筆順を設定する場合、右上、右下、左上、左下のそれぞれについて、位置合わせマークの筆順の登録処理が行われればよい。
【００６３】
従って、位置合わせ情報処理部２１は、図５に示すような、タッチパネル１０上では同一の形状を有する２つのＬ字マークを、異なる角に記入された位置合わせマークＭ１およびＭ２として認識することができる。
【００６４】
図５（ａ）は、図３（ａ）と同様、タッチパネル１０上において、ページの右上の角に位置合わせマークＭ１が描かれている状況を示す図であり、位置合わせマークＭ１は、図４（ａ）に示す筆順で描かれる。
【００６５】
図５（ｂ）は、図５（ａ）に示す状況から、情報入力装置１が時計回りに９０度回転した上で、タッチパネル１０上において、ページの右下の角に位置合わせマークＭ２が描かれている状況を示す図である。このとき、位置合わせマークＭ２は、図４（ｂ）に示す筆順で描かれる。
【００６６】
位置合わせマークＭ１およびＭ２は、タッチパネル１０上では同一の形状を有するＬ字マークであるが、その入力における筆順によって、４つの角のうちいずれに記入されたものであるかが特定される。
【００６７】
以上のようにして、位置合わせ情報処理部２１は、文字または図形等の記入対象となるページの４つの角のうちいずれに記入されたかを、該角に沿って描かれた位置合わせマークの筆順によって特定する。これにより、図５（ａ）（ｂ）の例のように、ノートの１ページの記入中に情報入力装置１を回転させた場合であっても、ノートの記述の通りの描画画像を生成することが可能になる。
【００６８】
〔同一ページの描画画像の合成〕
図６を参照して、情報入力装置１の実行する描画画像の合成処理について説明する。図６は、ユーザが所定の用紙に文字を記入し、後日、同じ用紙に文字を追記するという状況における、情報入力装置１と用紙との外観、および、情報入力装置１が生成する描画画像を示す図である。
【００６９】
図６（ａ）は、所定の用紙に「ＡＢＣＤＥＦＧＨＩＪ」という文字を記入した状態と、該記入内容を電子データ化した描画画像とを示す図である。同図では、ページ番号表示部１４に、当該用紙に割り当てられたページ番号「８８」が表示されており、ユーザは、タッチパネル１０上に、用紙の右上の角を指定する位置合わせマークＭ１を入力する。そして、情報入力装置１は、当該位置合わせマークＭ１に基づき、第８８ページの描画画像における上記文字の配置を決定する。
【００７０】
図６（ｂ）は、図６（ａ）にて示した用紙に、後日、「ＫＬＭＮＯＰＱＲＳＴ」という文字を追記した状態と、該追記内容を電子データ化した描画画像とを示す図である。同図においては、ユーザは、当該追記の前に、ページ番号変更入力部１３に対する操作により、ページ番号表示部１４に表示されるページ番号を、図６（ａ）に示す「８８」に設定する。そして、再度、用紙の右上の角を指定する位置合わせマークＭ１を入力する。そして、情報入力装置１は、当該位置合わせマークＭ１と、該設定されたページ番号とに基づき、第８８ページの新たな描画画像における上記文字の配置を決定する。
【００７１】
図６（ｃ）は、図６（ａ）および図６（ｂ）に示す描画画像を合成した、第８８ページの合成画像を示す図である。ここで、図６（ｂ）において、図６（ａ）と同一のページ番号が設定され、かつ、位置合わせマークＭ１が記入されたことにより、合成描画画像において、図６（ｂ）上図にて用紙に記入されている文字全体を含む画像が合成される。情報入力装置１による合成処理の詳細は後述する。
【００７２】
なお、図６（ｃ）に示す合成画像において、合成される複数の描画画像が重畳する場合には、画像生成部２５は、情報入力装置１が備える表示部または発光部等（ともに不図示）を介して、ユーザに警告してもよい。これにより、異なる用紙に対する描画のために入力が、誤って同一ページの描画画像として生成される不都合を防止することができる。
【００７３】
〔情報入力装置１の構成〕
図１を参照して、情報入力装置１の構成について説明する。図１は、情報入力装置１の要部構成を示す機能ブロック図である。
【００７４】
図１に示すとおり、情報入力装置１は、タッチパネル１０、モード入力部１１、ノートサイズ設定部１２、ページ番号変更入力部１３、ページ番号表示部１４、通信部１５、制御部１６、および、蓄積部１７を備えている。
【００７５】
タッチパネル１０は、ユーザによる筆記入力を受け付ける。具体的には、タッチパネル１０は、ユーザが文字または図形等を用紙に記入する際の描画のための入力位置、または、位置合わせマークが入力される際の入力位置を検出して、座標値として出力する。タッチパネル１０は、ユーザによる用紙に対する文字または図形等の記入時の筆圧から入力位置を検知する抵抗膜式のタッチパネルであってもよい。上記座標値は、筆記情報としてモード判別部（判別手段）２０に出力される。
【００７６】
タッチパネル１０を抵抗膜式のタッチパネルによって実現する場合、タッチパネル１０は、図７のように、内側にＩＴＯ（インジウムスズ酸化物）等から成る透明導電膜が均一にコーティングされた２枚のＰＥＴ（polyethylene terephthalate）基板を、一定間隔（好ましくは５〜１０μｍ間隔）で配置されたドットスペーサによって隔離する構造を有することが好ましい。
【００７７】
ＰＥＴは、強度と柔軟性に富み、指等で力を加えればたわませることができる。従って、ペン等によりＰＥＴから成る上部の基板を押下すれば、ドットスペーサ層の上下の透明導電膜が接触して通電が生じ、該通電によって電気抵抗の変化した位置を検出することで、タッチパネル１０上の押下位置が検出される。図７に示す構成によれば、透明導電膜がコーティングされた上下２層の基板がいずれもＰＥＴによって形成されていることから、タッチパネル１０は、一般的なＰＥＴ製下敷きと同様の柔軟性と、薄型化との両方を実現することができる。本構成によれば、タッチパネル１０を厚さ１．７ｍｍ程度まで薄くすることができる。また、同図では、最上層、すなわちユーザが文字または図形等を記入する用紙が重畳される方向の端部に保護シート層を積層することで、ペン等による描画によって上部のＰＥＴ基板に傷がつくことを防止することができる。
【００７８】
なお、図７に示すように、タッチパネル１０は画像を表示する機能を備えている必要はない。画像表示機能を持たせないことにより、軽く、耐久性のある装置構成とすることができる。これは、用紙の下敷きとして使用する際に好適である。
【００７９】
また、表示機能を備えたタッチパネル１０を用いてもよい。この場合、描画内容がどのような描画画像として生成されているかを確認しながら描画することが可能になる。また、過去に描画した描画画像を確認することもでき、これにより過去の描画画像への追記も容易に行うことができる。さらに、情報処理装置２に描画画像を送信する必要もなくなる。
【００８０】
モード入力部１１は、タッチパネル１０に対する入力モードを切り替えるためのものである。具体的には、モード入力部１１は、ボタン等によって実現されてもよく、ユーザが該ボタンを押下しながらタッチパネル１０に対する入力を行えば、後述するモード判別部（判別手段）２０は、タッチパネル１０に対する入力が、位置合わせマークの入力であると判別する構成であってもよい。
【００８１】
また、モード入力部１１は、ボタン等によって実現されるのでなく、タッチパネル１０に対するユーザによる筆記入力が、用紙を挟んでなされたものか用紙を挟まずになされたものかを判別して入力モードを切り替える構成であってもよい。
【００８２】
このように、筆記入力が用紙を挟んでなされたものか否か（用紙越しの入力であるか否か）を判別する入力態様判定手段を設けることにより、用紙を挟んでなされた入力を描画のための入力であると判別することができる。また、用紙を挟まずになされた入力を位置合わせマークの入力と判別することができる。この構成によれば、情報入力装置１にボタン等を設ける必要がなくなる、ユーザが位置合わせのためのボタン操作を行う必要がなくなる等の利点がある。
【００８３】
筆記入力が用紙を挟んでなされたものか否かを判別する１つの方法としては、筆記に用いるペンとタッチパネル１０とが接触した場合に電気が流れるようなペン及びタッチパネル１０を用いることが考えられる。この場合、筆圧がかかっても、用紙を挟んだ場合には電気が流れないため、筆記入力が用紙を挟んでなされたものか否かを判別することができる。また、別の方法としては、タッチパネル１０に光センサを設けて、タッチパネルに対して用紙が重なっている領域を検出することが考えられる。この場合、用紙が重なっている領域に対する筆記入力を、用紙を挟んでなされたものと判別することができる。
【００８４】
ノートサイズ設定部１２は、ユーザが文字または図形等を記入する用紙のサイズを設定する。具体的には、ノートサイズ設定部１２は、記入対象となる矩形の用紙の幅または高さ、好ましくはこれらの両方を決定する。上記用紙のサイズは、Ａ４判、Ｂ５判等、所定の規格をノートサイズ設定部１２において入力することで設定されてもよい。
【００８５】
ページ番号変更入力部１３は、描画画像に割り当てられるページ番号を変更する入力を受け付ける。具体的には、描画画像に新たなページ番号を割り当てるための、ユーザによる押下等の入力操作を受け付ける。これにより、ユーザは、新たなノートのページ等の用紙に文字または図形等を記入するときに、該新たな用紙について、新たな描画画像を情報入力装置１に生成させることができる。なお、ページ番号変更入力部１３は、モード入力部１１が押下されている間は、ページ番号を変更する入力を受け付けないことが好ましい。
【００８６】
なお、ここでの「新たなページ番号」とは、過去に別の描画画像に割り当てられたページ番号を含む。これにより、同じ用紙に記入された複数の描画画像を合成した合成描画画像を、後述する画像生成部（画像生成手段、画像合成手段）２５に生成させることができる。これにより、図６に示すように、同じ用紙に文字または図形等を追記したときに、該追記された文字または図形等の描画画像を、先に当該用紙に記入されていた文字または図形等の描画画像と合成し、実際に用紙上に記入されている文字または図形等と同じレイアウトを有する合成描画画像を生成することができる。
【００８７】
ページ番号表示部１４は、描画画像に割り当てられるページ番号を表示する。具体的には、ページ番号表示部１４は、ページ番号変更入力部１３に対するユーザの入力操作に基づき、ページ番号管理部（ページ番号管理手段）２８が設定した、描画画像に割り当てるべきページ番号を表示する。これにより、ユーザは、現在記入中の、またはこれから記入しようとする文字または図形が描画画像として生成される際のページ番号を確認することができるため、複数の用紙に対する記入が誤って同一ページの描画画像として生成される等の不都合を防止することができる。
【００８８】
通信部１５は、情報入力装置１が生成した描画画像を情報処理装置２に送信する。具体的には、通信部１５は、画像生成部２５が生成し、蓄積処理部２６によって蓄積部１７に蓄積され、送信処理部２７を介して供給された描画画像を、近距離無線通信等により、外部の情報処理装置２に送信する。画像生成部２５による描画画像の生成、および、蓄積処理部２６による描画画像の蓄積部１７への蓄積については後述する。
【００８９】
なお、情報処理装置２は、通信部１５が送信する描画画像を受信し、これを記憶する機能を有するものである。また、情報処理装置２は、描画画像を表示する機能も有している。これにより、ユーザは、情報入力装置１が生成した描画画像を情報処理装置２で閲覧することができる。
【００９０】
なお、通信部１５からの描画画像の送信は、送信処理部２７からの供給をトリガとしてもよいし、情報処理装置２からの要求、または図示しない外部の装置からの、他のデータとの同期信号等の信号に応じて行われてもよい。
【００９１】
蓄積部１７は、描画画像を蓄積する記録装置である。具体的には、蓄積部１７は、画像生成部２５が生成し、蓄積処理部２６がページ番号等の付加情報を紐付けた描画画像を蓄積する。また、蓄積される描画画像には、ページ番号とともに最終更新日時等が紐付けられていることが好ましい。
【００９２】
別の例として、蓄積部１７は、描画画像に代えて、手書き情報処理部２３から供給される軌跡情報、または、モード判別部２０から供給される筆記情報に含まれる座標の集合を蓄積してもよい。後述する各処理に係るパラメータは、処理データが画像であるか、軌跡であるか、または座標であるかに応じて、適宜変更されればよい。本発明においては、描画画像が最終的にユーザに視認可能な形で表示されればよいため、上記のような中間データの形式の違いは、本発明の技術的意義に何らの変更を生じさせるものではない。
【００９３】
制御部１６は、情報入力装置１が備える各部の機能を統括し、情報入力装置１の動作を制御するものである。制御部１６は、例えば、ＣＰＵ（central processing unit）等で実現され、情報入力装置１が備える機能は、制御部１６としてのＣＰＵが、ＲＯＭ等に記憶されているプログラムを、ＲＡＭ等に読み出して実行することで実現される。制御部１６は、図１に示すとおり、機能ブロックとして、モード判別部２０、位置合わせ情報処理部２１、位置合わせ情報管理部２２、手書き情報処理部２３、手書き情報座標変換部２４、画像生成部２５、蓄積処理部２６、送信処理部２７、および、ページ番号管理部２８を備える。
【００９４】
モード判別部２０は、ペン入力モードと位置合わせモードとの判別を行う。具体的には、モード判別部２０は、モード入力部１１に対する押下操作の有無に基づき、タッチパネル１０から取得した筆記情報が、描画のための入力であるか、位置合わせマークの入力であるかを判別する。該筆記情報が描画のための入力であると判別した場合、タッチパネル１０から取得した筆記情報を、手書き情報処理部２３に供給する。一方、該筆記情報が位置合わせマークの入力であると判別した場合、タッチパネル１０から取得した筆記情報を、位置合わせ情報処理部２１に供給する。
【００９５】
なお、モード判別部２０は、モード入力部１１に対する操作に応じて判別を行えばよく、例えばモード入力部１１が押下されている期間の入力を位置合わせマークの入力と判別してもよい。また、モード入力部１１に対する入力が検出されてから所定の期間（例えば数秒）内に行われた入力を、位置合わせマークの入力であると判別してもよい。
【００９６】
位置合わせ情報処理部２１は、タッチパネル１０に入力された位置合わせマークに基づき、ユーザによる描画のための入力の軌跡を描画画像に変換するためのパラメータを生成する。
【００９７】
具体的には、位置合わせ情報処理部２１は、タッチパネル１０上に入力されたＬ字型の位置合わせマークを示す筆記情報を、モード判別部２０から取得する。そして、該筆記情報に基づき、ユーザによる記入の対象となる用紙の１つの角の位置を示す座標値（基準位置）を特定する。また、Ｌ字マークの筆順から、Ｌ字マークが用紙の４つの角のうちのいずれの角に記入されたかを特定する。Ｌ字マークの筆順に基づく角の特定方法は、図４を参照して説明したとおりである。さらに、位置合わせ情報処理部２１は、当該Ｌ字マークを構成する２つの線分の、タッチパネル１０の平面上における傾き、すなわち用紙の傾きを検知する。そして、位置合わせ情報処理部２１は、上記検知した特定の角の位置および用紙の傾きに基づき、タッチパネル１０が受け付けた描画のための入力の軌跡（後述する軌跡情報）を、描画画像における座標に変換するパラメータ（補正情報および座標変換情報）を生成する。
【００９８】
なお、補正情報とは、用紙の傾きおよび位置を補正するための情報である。より詳細には、タッチパネル１０に対する入力の軌跡の座標値を、Ｌ字マークの角の位置を示す座標値に応じて平行移動させ、Ｌ字マークを構成する線分の傾きに応じて回転移動させるための情報である。
【００９９】
また、座標変換情報は、Ｌ字マークが用紙の４つの角のうちの何れの角に記入されたかに基づいて、描画画面上の座標系を変換するための情報である。より詳細には、補正情報で変換した座標値を、ノートサイズ設定部１２で取得した用紙の幅および高さに応じて平行移動させ、さらにＬ字マークが用紙の４つの角のうちの何れの角に記入されたかに基づいて回転移動させるための情報である。
【０１００】
また、位置合わせ情報処理部２１は、上記検知した特定の角の位置および用紙の傾きと、ノートサイズ設定部１２によって設定された用紙のサイズとに基づき、タッチパネル１０上において、用紙が重畳されている領域を特定する。
【０１０１】
なお、位置合わせ情報処理部２１は、図８に示すように、２つの位置合わせマークＭ１およびＭ２の入力に基づいて、用紙の幅または高さのいずれか一方のみを特定してもよい。
【０１０２】
別の例として、位置合わせ情報処理部２１は、タッチパネル１０上において、位置合わせ情報処理部２１によって特定された、用紙が重畳されている領域外に手書き入力された用紙サイズ、例えば「Ａ４」等の用紙サイズを表す手書き入力文字を、文字認識機能によって認識することで、当該用紙の幅および高さを特定してもよい。あるいは、例えば「Ａ４タテ」のように、用紙のサイズとともに用紙の方向を示す手書き入力文字が入力されてもよく、位置合わせ情報処理部２１は、当該手書き入力文字を文字認識機能によって認識し、当該用紙の幅および高さを特定してもよい。これにより、ユーザは、簡易な操作で用紙のサイズを指定することができる。上記用紙サイズを表す手書き文字の入力は、位置合わせマークの入力の直後に行われてもよく、また、モード入力部１１の押下中（位置合わせモード中）に行われてもよい。
【０１０３】
なお、上述のような用紙のサイズの設定が行われない場合には、同一のページで入力する位置合わせマークは、同じ角に記入されることが好ましい。例えば、ノートの左側のページでは常に左上の角、右側のページでは常に右上の角に位置合わせマークが記入されることが好ましい。
【０１０４】
位置合わせ情報管理部２２は、位置合わせ情報処理部２１で生成された上記補正情報および座標変換情報を、変換情報として管理する。管理された変換情報は、手書き情報座標変換部２４に供給される。
【０１０５】
手書き情報処理部２３は、描画のための入力を軌跡として記録する。具体的には、手書き情報処理部２３は、タッチパネル１０から取得した筆記情報を、描画のための入力の軌跡を現す軌跡情報に変換して記録する。記録した軌跡情報は、手書き情報座標変換部２４に供給される。
【０１０６】
手書き情報座標変換部２４は、ユーザによる描画のための入力の軌跡を、画像平面上の座標に変換する。具体的には、手書き情報座標変換部２４は、位置合わせ情報管理部２２から取得した変換情報（補正情報および座標変換情報）を用いて、手書き情報処理部２３から取得した軌跡情報が含む入力の軌跡の座標値を変換する。該変換された座標値は画像生成部２５に供給される。
【０１０７】
画像生成部２５は、描画画像を生成する。具体的には、画像生成部２５は、手書き情報座標変換部２４が変換した座標値に基づき、タッチパネル１０における描画のための入力の軌跡を画像平面に投影した画像である描画画像を生成する。生成された描画画像は、蓄積処理部２６に供給される。
【０１０８】
画像生成部２５はさらに、ページ番号管理部２８から、当該生成した描画画像に割り当てられているページ番号を取得し、当該ページ番号が割り当てられている描画画像が、蓄積部１７に既に蓄積されているかを判定する。そして、当該ページ番号に割り当てられている描画画像が既に蓄積部１７に蓄積されていると判定すると、該蓄積されている描画画像を蓄積部１７から取得し、これを上記生成した描画画像と合成した合成描画画像を生成する。
【０１０９】
図６を参照して説明すれば、当該生成した描画画像とは、図６（ｂ）下図に相当し、蓄積部１７に既に蓄積されている描画画像とは、図６（ａ）下図に相当し、合成描画画像は図６（ｃ）である。生成された合成描画画像は、当該ページ番号に割り当てられている描画画像として更新され、蓄積処理部２６によって蓄積部１７に蓄積されてもよい。画像生成部２５から蓄積処理部２６への描画画像の供給およびこれを介した蓄積部１７への蓄積は、ページ番号の変更ごとになされてもよいし、ごく短い周期で逐次なされてもよい。後者の構成によれば、情報処理装置２において、用紙に記入された文字または図形等を、略リアルタイムに描画画像として表示させることができる。
【０１１０】
ここで、図９を参照して、画像生成部２５による、合成描画画像の生成の別の例について説明する。
【０１１１】
図９（ａ）は、所定の用紙に「ＡＢＣＤＥＦＧＨＩＪ」という文字が記入された場合の、タッチパネル１０上での描画のための入力の軌跡を位置合わせマークＭ１とともに示す図である。
【０１１２】
図９（ｂ）は、図９（ａ）と同一の用紙に、後日、「ＫＬＭＮＯＰＱＲＳＴ」という文字を追記した場合の、タッチパネル１０上での描画のための入力の軌跡を位置合わせマークＭ１とともに示す図である。なお、図９（ｂ）における描画は、ページ番号変更入力部１３を介し、図９（ａ）に示す状況と同一のページ番号が入力された上で行われたものとする。
【０１１３】
図９（ｂ）においては、用紙が情報入力装置１に対し傾けられた状態で描画が行われているため、手書き情報処理部２３が変換および生成する軌跡情報を単純に合成すると、該合成によって得られる画像は、実際に用紙に記入された文字のレイアウトを大きく崩したものとなる。
【０１１４】
ここで、位置合わせ情報処理部２１は、位置合わせマークＭ１の傾き、すなわち用紙の傾きを検知して、この傾きを補正する補正情報を生成する。これにより、軌跡情報を手書き情報座標変換部２４に適切に座標変換させることができる。よって、画像生成部２５は、手書き情報座標変換部２４にて変換された座標に基づき、図９（ｂ）に示す描画のための入力の軌跡から、適切なレイアウトを有する描画画像を生成することができる。
【０１１５】
以上の処理により生成した２つの描画画像を合成した合成描画画像を図９（ｃ）に示す。同図では、図９（ｂ）に示す状況における用紙の傾きが補正されたことにより、２つの描画画像が、位置および傾きのずれを生じることなく適切に合成されている。
【０１１６】
再び図１を参照して、制御部１６内部の構成を説明する。
【０１１７】
蓄積処理部２６は、描画画像を蓄積部１７に蓄積する。具体的には、蓄積処理部２６は、画像生成部２５で生成された描画画像にページ番号および最終更新日時等を紐付け、蓄積部１７に供給する。
【０１１８】
送信処理部２７は、通信部１５を介して描画画像を情報処理装置２に送信するためのものである。具体的には、送信処理部２７は、通信部１５に対し、所定のタイミングで描画画像を供給することで、通信部１５に、情報処理装置２に対し描画画像を送信させる。上記所定のタイミングは、ページ番号の切り替えが行われた時点でもよい。あるいは、用紙に記入された文字または図形等が、情報処理装置２においてほぼリアルタイムに描画画像として表示されるよう、短い周期であってもよい。
【０１１９】
ページ番号管理部２８は、描画画像に割り当てられるページ番号を管理する。具体的には、ページ番号管理部２８は、ページ番号変更入力部１３から取得した入力情報に基づき、描画画像に割り当てるページ番号を設定する。設定したページ番号は、ページ番号表示部１４に通知され、ページ番号表示部１４は通知されたページ番号を表示する。また、ページ番号管理部２８は、画像生成部２５に対し、上記設定したページ番号を通知し、画像生成部２５は、該通知されたページ番号に基づき、ページごとの描画画像を生成してもよい。描画画像に割り当てるページ番号は、所定の上限値（例として１００）に達した場合に、最小値に回帰し再び増大を繰り返す周期的なものであってもよい。
【０１２０】
なお、ページ番号管理部２８は、位置合わせ情報処理部２１によって位置合わせマークの入力が検出された場合に、ページ番号を１増大させる構成であってもよい。ノートの下敷きとして使用する場合、次のページの下に情報入力装置１を移動させたときに位置合わせを行うためである。また、別の例として、ページ番号管理部２８は、手書き情報処理部２３が描画のための入力を最後に検出してから所定の期間（例えば８時間や１２時間、２４時間等）が経過したときに、ページ番号を１増大させてもよい。さらに別の例として、光センサ（不図示）等によって、情報入力装置１に用紙が重畳されていないことが検出されたときにページ番号を１増大させてもよいし、用紙が重畳されたときにページ番号を１増大させてもよい。
【０１２１】
また、ページ番号管理部２８は、タッチパネル１０上において、位置合わせ情報処理部２１によって特定された、用紙が重畳されている領域外に数字が手書きで入力された場合に、該数字を文字認識機能によって認識することで、ページ番号を設定する構成であってもよい。これにより、ページ番号の設定に際し、ユーザによるボタン操作を不要とすることができる。上記手書きの数字の入力は、位置合わせマークの入力の直後に行われてもよい。
【０１２２】
以上の構成により、情報入力装置１は、用紙に記入された文字または図形等の描画のための入力の軌跡を電子データ化した描画画像を生成するとともに、該描画画像において、情報入力装置１に対する該用紙のずれを補正することができる。また、同一のページ番号を割り当てられた複数の描画画像を合成し、適切な合成描画画像を生成することができる。
【０１２３】
〔情報入力装置１による処理の流れ〕
図１０〜図１４を参照して、情報入力装置１における処理の流れの一例を説明する。
【０１２４】
図１０は、情報入力装置１が実行する処理の全体の流れの一例を示すフローチャートである。
【０１２５】
まず、モード判別部２０は、筆記情報を取得する（Ｓ１）。具体的には、モード判別部２０は、タッチパネル１０が出力する、ユーザによる筆記入力の入力位置を示す座標値を、筆記情報として取得する。
【０１２６】
次に、モード判別部２０は、位置合わせモードか否かを判定する（Ｓ２：判別ステップ）。具体的には、モード判別部２０は、モード入力部１１が押下中であるか否かを判定し、押下中であれば、位置合わせモードであると判定する（Ｓ２でＹＥＳ）。別の例として、モード判別部２０は、モード入力部１１が押下されてから所定の期間内であれば、位置合わせモードであると判定（Ｓ２でＹＥＳ）してもよい。
【０１２７】
位置合わせモードであると判定されると（Ｓ２でＹＥＳ）、次に、位置合わせ処理が実行される（Ｓ３）。
【０１２８】
ここで、ステップＳ３における位置合わせ処理の詳細について、図１１を参照して説明する。図１１は、位置合わせ情報処理部２１および位置合わせ情報管理部２２による、位置合わせ処理の流れの一例を示すフローチャートである。なお、本フローチャートにおいて、位置合わせマークがＬ字マークである例について説明を行うが、後述するように、位置合わせマークはＬ字型に限定されず、様々な形状を有しうる。
【０１２９】
まず、位置合わせ情報処理部２１は、Ｌ字マークを検出する（Ｓ１０）。具体的には、位置合わせ情報処理部２１は、モード判別部２０から取得した筆記情報の座標値のパターンから、Ｌ字マークが入力されたことを検出する。
【０１３０】
次に、位置合わせ情報処理部２１は、角の座標を検出する（Ｓ１１：基準位置決定ステップ）。具体的には、位置合わせ情報処理部２１は、ステップＳ１０において検出したＬ字マークを構成する２つの線分の交点を当該用紙の角として、その座標を検出する。
【０１３１】
次に、位置合わせ情報処理部２１は、Ｌ字マークの２つの線分から傾きを検出する（Ｓ１２）。具体的には、位置合わせ情報処理部２１は、Ｌ字を構成する２つの線分の、タッチパネル１０の平面上の傾きから、用紙の情報入力装置１に対する傾きの角度を検出する。
【０１３２】
次に、位置合わせ情報処理部２１は、筆順からマーク位置を特定する（Ｓ１３：頂点特定ステップ）。ここで、「マーク位置」とは、用紙の４つの角についての、右上、右下、左上、左下のいずれかを示す情報である。具体的には、位置合わせ情報処理部２１は、ステップＳ１０にて検出したＬ字マークの筆順に基づき、当該Ｌ字マークが、用紙の４つの角（右上、右下、左上、左下）のいずれに記入されたかを特定する。詳細な特定方法は図４を参照して説明したとおりである。
【０１３３】
次に、位置合わせ情報処理部２１は、ノートサイズを取得する（Ｓ１４）。具体的には、位置合わせ情報処理部２１は、ノートサイズ設定部１２によって設定された用紙のサイズ（幅および高さ）を取得する。
【０１３４】
次に、位置合わせ情報処理部２１は、角の座標と傾きとから、座標位置と傾きを補正する補正情報を求める（Ｓ１５）。具体的には、位置合わせ情報処理部２１は、ステップＳ１１において検出した角の座標と、ステップＳ１２において検出した用紙の傾きとに基づいて補正情報を求める。
【０１３５】
ここで、補正情報の生成について、図１２に基づいて説明する。図１２は、補正情報の生成を説明する図であり、同図（ａ）は入力された軌跡の一例を示し、同図（ｂ）は該軌跡を補正情報で補正した画像の一例を示している。
【０１３６】
図１２（ａ）の例では、Ｌ字の角の座標（タッチパネル１０の入力領域の左上隅を原点とする）が（１０，１０）、傾き（右上がりの傾きを正とする）が＋１０度である。この場合、タッチパネル１０に対する入力の軌跡（同図の文字列「ＡＢＣＤＥ」）を、左に１０、上に１０だけ平行移動させ、Ｌ字の角の座標を中心に時計回り方向に１０度回転移動させることにより、Ｌ字マークがタッチパネル１０の入力領域の左上隅の角に沿う位置に移動する。したがって、この例では、左に１０、上に１０だけ平行移動させ、Ｌ字の角の座標を中心に時計回り方向に１０度回転移動させる情報を補正情報とする。
【０１３７】
次に、位置合わせ情報処理部２１は、マーク位置とノートサイズから座標変換情報を求める（Ｓ１６）。マーク位置とノートサイズが決まれば、描画画像を記録すべき矩形領域を設定することができるので、タッチパネル１０の入力領域の座標を用紙に対応する矩形領域内の座標に投影する座標変換情報を生成することができる。この座標変換情報とステップＳ１５で求めた補正情報とを用いることによって、用紙の位置に応じた描画画像を生成することができる。なお、設定する矩形領域の全体がタッチパネル１０上に存在する必要はなく、図３（ａ）（ｂ）等の例のように、矩形領域の一部がタッチパネル１０からはみ出していても構わない。
【０１３８】
ここで、マーク位置に応じた描画画像の生成について、図１３に基づいて説明する。図１３は、生成した補正情報および座標変換情報を用いた描画画像の生成の一例を示す図である。
【０１３９】
図１３のア−１、ア−２、ア−３、ア−４は、マーク位置が左上である場合（Ｌ字マークが左上隅を示す位置合わせマークである場合）において、情報入力装置１が生成する描画画像の例である。ア−１〜ア−４の入力の軌跡は、Ｌ字マークの角の座標及び傾きに応じて生成される補正情報に基づき、タッチパネル１０の入力領域の左上隅の角に沿う位置に移動され、ア−５に示す描画画像が生成される。
【０１４０】
同様に、図１３のイ−１、イ−２、イ−３、イ−４は、マーク位置が右上である場合（Ｌ字マークが右上隅を示す位置合わせマークである場合）において、情報入力装置１が生成する描画画像の例である。イ−１〜イ−４の入力の軌跡は、補正情報に基づき、タッチパネル１０の入力領域の左上隅の角に沿う位置に移動され、イ−５に示す描画画像が生成される。
【０１４１】
また、図１３のウ−１、ウ−２、ウ−３、ウ−４は、マーク位置が左下である場合（Ｌ字マークが左下隅を示す位置合わせマークである場合）において、情報入力装置１が生成する描画画像の例である。ウ−１〜ウ−４の入力の軌跡は、補正情報に基づき、タッチパネル１０の入力領域の左上隅の角に沿う位置に移動され、ウ−５に示す描画画像が生成される。
【０１４２】
そして、図１３のエ−１、エ−２、エ−３、エ−４は、マーク位置が右下である場合（Ｌ字マークが右下隅を示す位置合わせマークである場合）において、情報入力装置１が生成する描画画像の例である。エ−１〜エ−４の入力の軌跡は、補正情報に基づき、タッチパネル１０の入力領域の左上隅の角に沿う位置に移動され、エ−５に示す描画画像が生成される。
【０１４３】
ここで、ノートサイズはＡ４縦が設定され、Ａ４縦の矩形領域のサイズが横８２７、縦１１６９であるとする。
【０１４４】
まず、マーク位置が左上である場合には、図１３のア−５で既に左上隅の角に沿う位置に位置合わせマークが移動されているので、さらなる座標変換は必要ない。したがって、この場合には、座標変換情報による座標変換は必要なく、補正情報による補正のみでア−６の描画画像が生成される。
【０１４５】
一方、マーク位置が右上である場合には、位置合わせマークを左上隅の角に沿う位置（図１３のイ−５）から、矩形領域の右上隅の角に沿う位置（図１３のイ−６）に移動させる必要がある。この場合に必要な座標変換は、右に８２７平行移動し、さらにＬ字の角の座標を中心に時計回り方向に９０度回転移動することである。したがって、この場合には、この座標変換のための平行移動および回転移動の情報を座標変換情報とする。
【０１４６】
同様に、マーク位置が左下である場合には、位置合わせマークを左上隅の角に沿う位置（図１３のウ−５）から矩形領域の左下隅の角に沿う位置（図１３のウ−６）に移動させる必要がある。この場合に必要な座標変換は、下に１１６９平行移動し、さらにＬ字の角の座標を中心に時計回り方向に２７０度回転移動することである。したがって、この場合には、この座標変換のための平行移動および回転移動の情報を座標変換情報とする。
【０１４７】
また同様に、マーク位置が右下である場合には、位置合わせマークを左上隅の角に沿う位置（図１３のエ−５）から矩形領域の左下隅の角に沿う位置（図１３のエ−６）に移動させる必要がある。この場合に必要な座標変換は、右に８２７、下に１１６９平行移動し、さらにＬ字の角の座標を中心に時計回り方向に１８０度回転移動することである。したがって、この場合には、この座標変換のための平行移動および回転移動の情報を座標変換情報とする。
【０１４８】
次に、位置合わせ情報管理部２２は、補正情報と座標変換情報とを変換情報として管理する（Ｓ１７）。具体的には、位置合わせ情報管理部２２は、ステップＳ１５において求めた補正情報と、ステップＳ１６において求めた座標変換情報とを、タッチパネル１０における描画のための入力の軌跡から描画画像を生成するための変換情報として管理する。
【０１４９】
以上の処理を経て、位置合わせ処理は完了し、図１０に示すフローチャートに係る処理は完了する。
【０１５０】
一方、ステップＳ２において、位置合わせモードではないと判定されると（Ｓ２でＮＯ）、ペン入力処理が実行される（Ｓ４）。
【０１５１】
ここで、ステップＳ４におけるペン入力処理の詳細について、図１４を参照して説明する。図１４は、手書き情報処理部２３、手書き情報座標変換部２４、ページ番号管理部２８、画像生成部２５、および蓄積処理部２６による、ペン入力処理の流れの一例を示すフローチャートである。
【０１５２】
まず、手書き情報処理部２３は、筆記情報を軌跡情報に変換する（Ｓ２０）。具体的には、手書き情報処理部２３は、モード判別部２０から取得した筆記情報を、軌跡情報に変換する。
【０１５３】
次に、手書き情報座標変換部２４は、変換情報に基づき、軌跡情報を座標変換する（Ｓ２１）。具体的には、手書き情報座標変換部２４は、ステップＳ１７によって位置合わせ情報管理部２２が管理している変換情報に基づき、手書き情報処理部２３から取得した軌跡情報に含まれる座標を変換する。そして、変換した座標を画像生成部２５に出力する。
【０１５４】
次に、画像生成部２５は、ページ番号管理部２８から現在のページ番号を取得する（Ｓ２２）。具体的には、画像生成部２５は、ページ番号変更入力部１３から取得した入力情報に基づきページ番号管理部２８が設定した、描画画像に割り当てるページ番号を取得する。
【０１５５】
次に、画像生成部２５は、現在のページの画像が蓄積されているか否かを判定する（Ｓ２３）。具体的には、画像生成部２５は、ステップＳ２２において設定されたページ番号が割り当てられている描画画像が蓄積部１７に既に蓄積されているかを判定する。
【０１５６】
現在のページの画像が蓄積されていなければ（Ｓ２４でＮＯ）、画像生成部２５は、手書き情報座標変換部２４が出力した座標（座標変換した軌跡情報）から描画画像を生成する（Ｓ２７）。
【０１５７】
そして、画像生成部２５は、生成した描画画像を蓄積処理部２６に供給し、蓄積処理部２６は、この描画画像を蓄積部１７に蓄積する（Ｓ２６）。具体的には、蓄積処理部２６は、ステップＳ２７において生成された描画画像にページ番号および最終更新日時等を紐付け、蓄積部１７に蓄積する。これにより、ペン入力処理は完了となる。
【０１５８】
一方、現在のページの画像が蓄積されていると判定した場合（Ｓ２３でＹＥＳ）、画像生成部２５は、蓄積されている描画画像を取得する（Ｓ２４）。具体的には、画像生成部２５は、ステップＳ２２において取得したページ番号が割り当てられている描画画像を、蓄積部１７から取得する。
【０１５９】
次に、画像生成部２５は、合成画像を生成する（Ｓ２５）。具体的には、画像生成部２５は、ステップＳ２４において蓄積部１７から取得した描画画像に対して、ステップＳ２１にて手書き情報座標変換部２４が出力した座標（座標変換した軌跡情報）に対応する画像を重畳し、合成画像を生成する。この後、画像生成部２５は、生成した合成画像を蓄積処理部２６に供給し、蓄積処理部２６がこの合成画像を蓄積部１７に蓄積して（Ｓ２６）、ペン入力処理は完了する。なお、合成画像の蓄積の際にも、ページ番号等の情報を紐付けて記録する。
【０１６０】
なお、過去の描画画像に追記する場合、ユーザは、ページ番号変更入力部１３を操作して、入力対象とするページを、追記したい描画画像に対応するページに合わせる必要がある。このような場合、情報入力装置１は、描画画像を表示させる機能を有していないため、誤って別のページを設定することが考えられる。そして、誤ったページを設定した場合に、過去に記入した文字等と、新たに追記した文字等が重なってしまい、判読が困難となることも想定される。
【０１６１】
このため、画像生成部２５は、ステップＳ２５にて合成画像を生成する前に、蓄積部１７から取得した描画画像の描画領域（文字等が記入されている領域）と、追記する画像の描画領域とが重畳していないか判定することが好ましい。そして、重畳している場合には、音や光などを発してユーザに報知することが好ましい。なお、図１の例には記載していないが、発光部や音声出力部を設けることによってこのような報知を行うことは容易である。また、図１の例では、ページ番号表示部１４を備えているので、ページ番号表示部１４への表示によって報知してもよい。
【０１６２】
ここで、ステップＳ２３〜Ｓ２６に係る処理について、例として、上述にて説明した図６を参照して説明すれば以下のとおりである。
【０１６３】
まず、ステップＳ２３では、ページ番号「８８」の画像が蓄積されていると判断され、ステップＳ２４では、図６（ａ）下図の画像が取得される。そして、ステップＳ２５では、蓄積部１７から取得した図６（ａ）下図の画像に対し、図６（ｂ）下図の画像を重畳して合成画像を生成する。このようにして、図６（ｃ）の合成画像が生成される。
【０１６４】
ステップＳ２５において生成された合成画像は、蓄積処理部２６によって蓄積部１７に、当該ページの描画画像として更新および蓄積される（Ｓ２６）。なお、蓄積部１７において、合成前の当該ページの描画画像も保持される構成であってもよい。
【０１６５】
以上のように、情報入力装置１は、位置合わせモードであるか否かを判別し、位置合わせモードである場合に、タッチパネル１０に入力されたＬ字型の位置合わせマークから、用紙の角の座標、用紙の傾き、および、用紙の４つの角のいずれが指定されたかを特定する。そして、これらの特定によって、描画のための入力の軌跡を描画画像に変換するための変換情報を生成し、該変換情報に基づいて描画画像を生成する。
【０１６６】
これにより、タッチパネル１０上の用紙に対応する矩形領域が特定され、当該矩形領域に入力される描画のための入力の軌跡を、位置および傾きのずれを補正して描画画像に変換することができる。
【０１６７】
さらに、同一ページに入力が行われたときには、入力された軌跡を記憶されている描画画像に合成するので、過去に描画が行われた用紙に追記したような場合であっても、用紙に記入された内容と略一致する描画画像を生成することができる。そして、描画の前には位置合わせマークによる補正を行うため、２つの時点における描画のための入力が、入力時点ではタッチパネル１０上で互いの位置関係を維持していなくとも、適切なレイアウトの描画画像が生成される。
【０１６８】
〔位置合わせマークの変形例〕
上述では、Ｌ字型の位置合わせマークを用いる例を説明したが、本発明の位置合わせマークは、少なくとも描画画像の生成の基準位置を示すものであればよく、Ｌ字型に限定されない。
【０１６９】
図１５は、位置合わせマークの形状の別の例を示す図である。
【０１７０】
図１５（ａ）は、用紙の角に沿って２つの線分が入力されるが、当該２つの線分が接触していない位置合わせマークを示す図である。２つの線分の座標が特定されれば、角の位置および用紙の傾きはＬ字マークと同様に導かれる。
【０１７１】
図１５（ｂ）は、角上に点が１つ入力される位置合わせマークを示す図である。同図の位置合わせマークでは用紙の傾きは特定されないが、情報入力装置１をノートに挟む等、用紙の傾きのずれが生じない使用状況に適している。
【０１７２】
また、図１５（ｃ）に示すように、用紙の角から少し離れた位置に点を入力してもよいし、図１５（ｄ）に示すように、用紙の角を囲むことで位置合わせマークとしてもよい。
【０１７３】
なお、図１５（ｂ）〜（ｄ）に示す例においては、１つの角を示す点または囲みマークを入力した後に、該点の近傍において、用紙のいずれかの辺に沿う位置にさらに点を少なくとも１つ入力することで、用紙の傾きを指定することもできる。また、用紙の複数の角にマークを入力させることによって、用紙の傾きを特定することもできる。この場合、マーク間の距離から用紙の幅を特定することもできる。
【０１７４】
さらに、上述の記載では、位置合わせ情報処理部２１はＬ字マークの筆順から用紙の４つの角のうち何れが指定されたかを特定する構成について説明を行ったが、角の特定は筆順によらずとも可能である。
【０１７５】
例えば、Ｌ字マーク、または図１５に示す何れかの位置合わせマークの入力後に行われた入力のパターンから角を特定してもよい。具体例を挙げれば、多点検出可能なタッチパネル１０を用いる場合、ユーザが、用紙の枠外（設定した矩形領域外）に同時に触れた箇所の数によって角を特定してもよい。例えば、右上であればタッチパネル１０を指で１点押下、右下であれば２点押下、左上であれば３点押下、左下であれば４点押下するようにしてもよい。
【０１７６】
また、他の例を挙げれば、位置合わせマークの入力後に検出された接触位置の、当該位置合わせマークの位置に対する相対位置から角を特定してもよい。例えば、右上であれば位置合わせマークの右上、右下であれば右下、左上であれば左上、左下であれば左下をタッチするようにしてもよい。
【０１７７】
さらに他の例を挙げれば、位置合わせマークの入力後に入力された軌跡から角を特定してもよい。例えば、右上であれば「右上」、右下であれば「右下」、左上であれば「左上」、左下であれば「左下」の文字を記入するようにし、これらの文字列を検出することによって角を特定してもよい。
【０１７８】
なお、以上のような角を特定するための入力は、用紙の枠外（設定した矩形領域外）にて受け付けるようにすることが好ましい。これにより、用紙に不要な文字が記入されることがなくなるからである。
【０１７９】
なお、上述の実施形態の記載においては、過去に記入したページに追記する場合、ページ番号変更入力部１３に当該ページのページ番号を入力する例について説明したが、記入ページの指定方法はこれに限定されない。
【０１８０】
例えば、蓄積処理部２６が蓄積部１７に描画画像を蓄積する際に紐付けた最終更新日時から、所望のページを指定する構成としてもよい。これにより、ユーザがページ数を記憶していなくとも、いつ頃に記入したかという記憶に基づいて追記を行うことができる。
【０１８１】
〔第２の実施形態〕
さらに、上述した手書き情報座標変換部２４、画像生成部２５、蓄積処理部２６、および蓄積部１７は、情報処理装置側に備えられていてもよい。
【０１８２】
〔情報入力システム１００の構成〕
図１６は、本発明の別の実施形態に係る情報入力システム（画像生成システム）１００の要部構成を示す機能ブロック図である。なお、上記第１の実施形態にて説明したものと同じ機能を有する部材には同一の符号を付し、説明を省略する。
【０１８３】
情報入力装置５０は、上記第１の実施形態における情報入力装置１において、手書き情報座標変換部２４、画像生成部２５、蓄積処理部２６、蓄積部１７を排した構成である。
【０１８４】
情報入力装置５０において、位置合わせ情報処理部２１は、上記第１の実施形態における位置合わせ情報管理部２２の機能を包含しており、補正情報および座標変換情報を変換情報として管理するとともに、該変換情報を送信処理部（送信手段）２７に供給する。
【０１８５】
情報入力装置５０においては、送信処理部２７は、位置合わせ情報処理部２１から取得する変換情報に加え、手書き情報処理部２３から軌跡情報を、ページ番号管理部２８からページ番号を取得する。取得した各情報は、上述の所定のタイミングで通信部１５に供給され、通信部１５を介して情報処理装置６０に送信される。
【０１８６】
情報処理装置（画像生成装置）６０は、情報入力装置５０から受信した変換情報、軌跡情報およびページ番号に基づき、描画画像を生成する。情報処理装置６０は、制御部６１、表示部６２、および通信部６３を備えて成る構成である。
【０１８７】
表示部（表示画面）６２は、情報処理装置６０が扱う情報を表示するものである。本実施形態では特に描画画像を表示する。表示部６２は、例えば、ＬＣＤ（液晶ディスプレイ）などの表示装置で実現される。
【０１８８】
通信部６３は、情報入力装置５０の備える通信部１５から送信された変換情報、軌跡情報およびページ番号を受信する。
【０１８９】
制御部６１は、情報処理装置６０が備える各部の機能を統括し、情報処理装置６０の動作を制御するものである。制御部６１は、例えば、ＣＰＵ（central processing unit）等で実現され、情報処理装置６０が備える機能は、制御部６１としてのＣＰＵが、ＲＯＭ等に記憶されているプログラムを、ＲＡＭ等に読み出して実行することで実現される。制御部６１は、図１６に示すとおり、機能ブロックとして、ページ番号取得部６４、変換情報取得部６５、軌跡情報取得部６６、手書き情報座標変換部２４、画像生成部２５、および蓄積処理部２６を備える。
【０１９０】
ページ番号取得部６４は、通信部６３からページ番号を取得する。取得されたページ番号は画像生成部２５に供給される。
【０１９１】
変換情報取得部６５は、通信部６３から変換情報を取得する。取得された変換情報は手書き情報座標変換部２４に供給される。
【０１９２】
軌跡情報取得部６６は、通信部６３から軌跡情報を取得する。取得された軌跡情報は手書き情報座標変換部２４に供給される。
【０１９３】
手書き情報座標変換部２４による軌跡情報の座標変換処理、画像生成部２５による描画画像の生成または合成処理、および、蓄積処理部２６による蓄積部１７への描画画像の蓄積処理については、上記第１の実施形態にて説明したとおりである。
【０１９４】
以上のように、情報入力システム１００では、情報入力装置５０は描画画像や合成画像の生成は行わず、情報処理装置６０がこれらの生成を行う。このような構成であっても、上記実施形態の情報入力装置１と同様に、特別な用紙等を使用することなく、タッチパネル１０への簡易な入力によって用紙の位置合わせを行うことができる。
【０１９５】
また、上記の例において、情報入力装置５０は、変換情報を生成しているが、変換情報の生成についても、情報処理装置６０が行うようにしてもよい。この場合、情報入力装置５０は、変換情報の生成に必要なＬ字マークの座標値（基準位置を示す情報、基準位置が４つの頂点の何れに対応するかを示す情報）を情報処理装置６０に送信する。また、位置合わせモード終了後に検出された座標値（タッチパネル１０に入力された軌跡の座標）を送信する。これにより、情報処理装置６０において、タッチパネル１０に入力された軌跡の座標を、座標変換して描画画像を生成することができる。
【０１９６】
さらに、上記各実施形態において説明した装置間の通信態様は一例であり、上記の例に限られない。すなわち、情報入力装置１、５０から情報処理装置２、６０への各情報の供給は、上述の近距離無線通信等の無線通信で行ってもよいし、ＵＳＢ端子等を介した有線通信で行ってもよい。
【０１９７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１９８】
〔ソフトウェアによる実現例〕
最後に、情報入力装置１、５０、情報処理装置２、６０の各ブロック、特に制御部１６および制御部６１は、集積回路（ＩＣチップ）上に形成された論理回路によってハードウェア的に実現してもよいし、ＣＰＵ（Central Processing Unit）を用いてソフトウェア的に実現してもよい。
【０１９９】
後者の場合、情報入力装置１、５０、情報処理装置２、６０は、各機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備えている。そして、本発明の目的は、上述した機能を実現するソフトウェアである情報入力装置１、５０、情報処理装置２、６０の制御プログラムのプログラムコード（実行形式プログラム、中間コードプログラム、ソースプログラム）をコンピュータで読み取り可能に記録した記録媒体を、上記情報入力装置１、５０、情報処理装置２、６０に供給し、そのコンピュータ（またはＣＰＵやＭＰＵ）が記録媒体に記録されているプログラムコードを読み出し実行することによっても、達成可能である。
【０２００】
上記記録媒体としては、一時的でない有形の媒体（non-transitory tangible medium）、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ（登録商標）／フラッシュＲＯＭ等の半導体メモリ類、あるいはＰＬＤ（Programmable logic device）やＦＰＧＡ（Field Programmable Gate Array）等の論理回路類などを用いることができる。
【０２０１】
また、情報入力装置１、５０、情報処理装置２、６０を通信ネットワークと接続可能に構成し、上記プログラムコードを通信ネットワークを介して供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２．１１無線、ＨＤＲ（High Data Rate）、ＮＦＣ（Near Field Communication）、ＤＬＮＡ（Digital Living Network Alliance）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０２０２】
本発明は、入力面に対する描画のための入力を受け付けるための情報入力装置等に好適に利用することができる。
【符号の説明】
【０２０３】
１、５０    情報入力装置
６０    情報処理装置（画像生成装置）
１０    タッチパネル（入力面）
１７    蓄積部
２０    モード判別部（判別手段）
２１    位置合わせ情報処理部（基準位置決定手段、ページサイズ決定手段、頂点特定手段、傾き特定手段）
２５    画像生成部（画像生成手段、画像合成手段）
２７    送信処理部（送信手段）
２８    ページ番号管理部（ページ番号管理手段）
１００    情報入力システム（画像生成システム）
Ｓ２    判別ステップ
Ｓ１１    基準位置決定ステップ
Ｓ１３    頂点特定ステップ
【図１】
2014021855.tif 000003
【図２】
2014021855.tif 000004
【図３】
2014021855.tif 000005
【図４】
2014021855.tif 000006
【図５】
2014021855.tif 000007
【図６】
2014021855.tif 000008
【図７】
2014021855.tif 000009
【図８】
2014021855.tif 000010
【図９】
2014021855.tif 000011
【図１０】
2014021855.tif 000012
【図１１】
2014021855.tif 000013
【図１２】
2014021855.tif 000014
【図１３】
2014021855.tif 000015
【図１４】
2014021855.tif 000016
【図１５】
2014021855.tif 000017
【図１６】
2014021855.tif 000018